(57)【特許請求の範囲】
【請求項１】
盤面の上下方向に積載され、その盤内に遮断器をそれぞれ収納した遮断器室と、
前記遮断器室の背部に配置され、その盤内に母線を収納した母線室と、
前記母線室の背部に配置され、その盤内にケーブル・変流器をそれぞれ収納したケーブル・変流器室とを有する第１の金属閉鎖形スイッチギアと、
前記第１の金属閉鎖形スイッチギアの前記下側の遮断器室の側部側に配置され、前記第１の金属閉鎖形スイッチギアにおける前記下側の遮断器室の前記盤内の仕切り板より下方に位置する仕切り板を有する盤内に遮断器を収納した遮断器室と、
この遮断器室の背部に配置され、その盤内に母線を収納した母線室と、
この母線室の背部に配置され、前記第１の金属閉鎖形スイッチギアにおける前記下側のケーブル・変流器室の前記盤内の仕切り板より下方に位置する仕切り板を有する盤内にケーブル・変流器を収納したケーブル・変流器室とを有する第２の金属閉鎖形スイッチギアと、
前記第２の金属閉鎖形スイッチギアの前記遮断器室上及びケーブル・変流器室上にそれぞれ配置され、前記第１の金属閉鎖形スイッチギアにおける前記下側の遮断器室、ケーブル・変流器室、及び前記第２の金属閉鎖形スイッチギアの前記遮断器室及びケーブル・変流器室で内部アーク事故により生起した内部圧をそれぞれ放出する第１及び第２の共通放圧室と、
前記第１の金属閉鎖形スイッチギアにおける前記下側の遮断器室の前記盤内の仕切り板と前記第２の金属閉鎖形スイッチギアにおける前記遮断器室の前記盤内の仕切り板との間の側板、及び前記第１の金属閉鎖形スイッチギアにおける前記下側のケーブル・変流器室の前記盤内の仕切り板と前記第２の金属閉鎖形スイッチギアにおける前記ケーブル・変流器室の前記盤内の仕切り板との間の側板、並びに、前記第２の金属閉鎖形スイッチギアにおける前記遮断器室の前記盤内の仕切り板、及び前記第２の金属閉鎖形スイッチギアにおける前記ケーブル・変流器室の前記盤内の仕切り板に、
前記共通放圧室に通じるように設けた放出開口とを
備えたことを特徴とする金属閉鎖形スイッチギア。
【請求項２】
請求項１に記載の金属閉鎖形スイッチギアにおいて、
前記放出開口に、一定限度以上の圧力に応じて開く常時閉の放圧フラッパをそれぞれ設けたことを特徴とする金属閉鎖形スイッチギア。
【請求項３】
請求項１記載の金属閉鎖形スイッチギアにおいて、
前記共通放圧室を各放圧開口部毎に区画する仕切りを設けたことを特徴とする金属閉鎖形スイッチギア。
【請求項４】
請求項１乃至３記載の金属閉鎖形スイッチギアにおいて、
前記第１及び第２の共通放圧室の天井部には、一定限度以上の圧力に応じて開く常時閉の放圧フラッパをそれぞれ設けたことを特徴とする金属閉鎖形スイッチギア。
【発明の詳細な説明】
【技術分野】
【０００１】
本発明は金属閉鎖形スイッチギアに係り、特に遮断器等の電気機器を多段積載した金属閉鎖形スイッチギアに関するものである。
【背景技術】
【０００２】
金属閉鎖形スイッチギアとは、遮断器、断路器、計器用変成器、母線、接続導体などのほか、監視制御に必要な器具からなる集合装置で、接地された金属箱内に収納されたものであり、更に単位回路ごとに接地金属壁により隔離されている構造のものをいう。接地金属壁による隔離構造を採用する目的は、例えば、盤内の一の遮断器室で短絡事故等の内部アーク事故が発生した場合であっても、事故の影響を最小限に止めることにある。
【０００３】
しかし、遮断器等の電気機器を多段積みして収納する金属閉鎖形スイッチギアにおいては、例えば下段の遮断器室等で内部アーク事故が発生すると事故発生時の過大な内部圧力上昇に対する有効な放出経路を有していない場合がある。このため、内部アーク事故により発生した膨張空気が、盤外へ放出されず、他の区画の電気機器等に損傷を与えてしまう虞があった。この点を改善するものとして、各室毎の膨張空気を放出する放圧箱を金属閉鎖形スイッチギア本体の側面に設置し、多段回路のいかなる室で発生した内部アーク事故であっても、その膨張空気を有効に盤外に放出させるものがある（例えば、特許文献１参照。）。
【０００４】
【特許文献１】特公平６−６７０６０号公報
【発明の開示】
【発明が解決しようとする課題】
【０００５】
上述した金属閉鎖形スイッチギアは、いかなる室で内部アーク事故が発生しても、その膨張空気を外部に放出できるため、事故波及を防止できる。
【０００６】
しかしながら、この金属閉鎖形スイッチギアは、その側面に放圧箱を設置することが必要であるため、従来の金属閉鎖形スイッチギアの設置面積に比較すると大幅な拡大が必要となる。したがって、例えば、火力、原子力発電所、変電所、開閉所の建設等で多数のフィーダを必要とする金属閉鎖形スイッチギアを設置する場合には、このことは、設置建屋の建設等に関連して看過することのできない問題になる。このため、その設置面積を拡大せずに内部アーク事故に対応可能な、遮断器等を多段積載した金属閉鎖形スイッチギアが要求されている。
【０００７】
本発明は上述の事項に基づいてなされたもので、金属閉鎖形スイッチギアの外形寸法とその設置面積とを変えず、内部アーク事故に対応可能な、多段積載形式の金属閉鎖形スイッチギアを提供することにある。
【課題を解決するための手段】
【０００８】
（１）上記目的を達成するために、本発明は盤面の上下方向に積載され、その盤内に遮断器をそれぞれ収納した遮断器室と、前記遮断器室の背部に配置され、その盤内に母線を収納した母線室と、前記母線室の背部に配置され、その盤内にケーブル・変流器をそれぞれ収納したケーブル・変流器室とを有する第１の金属閉鎖形スイッチギアと、前記第１の金属閉鎖形スイッチギアの前記下側の遮断器室の側部側に配置され、前記第１の金属閉鎖形スイッチギアにおける前記下側の遮断器室の前記盤内の仕切り板より下方に位置する仕切り板を有する盤内に遮断器を収納した遮断器室と、この遮断器室の背部に配置され、その盤内に母線を収納した母線室と、この母線室の背部に配置され、前記第１の金属閉鎖形スイッチギアにおける前記下側のケーブル・変流器室の前記盤内の仕切り板より下方に位置する仕切り板を有する盤内にケーブル・変流器を収納したケーブル・変流器室とを有する第２の金属閉鎖形スイッチギアと、前記第２の金属閉鎖形スイッチギアの前記遮断器室上及びケーブル・変流器室上にそれぞれ配置され、前記第１の金属閉鎖形スイッチギアにおける前記下側の遮断器室、ケーブル・変流器室、及び前記第２の金属閉鎖形スイッチギアの前記遮断器室及びケーブル・変流器室で内部アーク事故により生起した内部圧をそれぞれ放出する第１及び第２の共通放圧室と、前記第１の金属閉鎖形スイッチギアにおける前記下側の遮断器室の前記盤内の仕切り板と前記第２の金属閉鎖形スイッチギアにおける前記遮断器室の前記盤内の仕切り板との間の側板、及び前記第１の金属閉鎖形スイッチギアにおける前記下側のケーブル・変流器室の前記盤内の仕切り板と前記第２の金属閉鎖形スイッチギアにおける前記ケーブル・変流器室の前記盤内の仕切り板との間の側板、並びに、前記第２の金属閉鎖形スイッチギアにおける前記遮断器室の前記盤内の仕切り板、及び前記第２の金属閉鎖形スイッチギアにおける前記ケーブル・変流器室の前記盤内の仕切り板に、前記共通放圧室に通じるように設けた放出開口とを有する。
【０００９】
（２）上記（１）において、好ましくは、前記放出開口に、一定限度以上の圧力に応じて開く常時閉の放圧フラッパをそれぞれ設ける。
【００１０】
（３）上記（１）において、好ましくは、前記共通放圧室を各放圧開口部毎に区画する仕切りを設ける。
【００１１】
（４）上記（１）乃至（３）において、好ましくは、前記第１及び第２の共通放圧室の天井部には、一定限度以上の圧力に応じて開く常時閉の放圧フラッパをそれぞれ設ける。
【発明の効果】
【００１２】
本発明によれば、第２の金属閉鎖形スイッチギアの内部に第１及び第２の共通放圧室を設けたことにより、金属閉鎖形スイッチギア内のいずれの室で内部アーク事故が発生しても、事故で発生した膨張空気を外部に放出することができる。また、共通放圧室は金属閉鎖形スイッチギアの内部に区画して設けられている。このため、共通放圧室は、他の各室と同様の強度等を有し、十分な安全性と信頼性が確保される。さらに、この金属閉鎖形スイッチギアの外形寸法は従来の金属閉鎖形スイッチギアの外形寸法と同一である。したがって、多数のフィーダを必要とする場合であっても、従来例と略同じ設置面積で、遮断器等を多段積載した金属閉鎖形スイッチギアを設置することができる。
【発明を実施するための最良の形態】
【００１３】
以下、本発明の金属閉鎖形スイッチギアの実施の形態を図面を用いて説明する。
図１乃至図４は、本発明の金属閉鎖形スイッチギアの一実施の形態を示すもので、図１は、本発明の金属閉鎖形スイッチギアの一実施の形態の構成を示す斜視図、図２は、図１に示す本発明の金属閉鎖形スイッチギアの一実施の形態を構成する第１の金属閉鎖形スイッチギアの側面図、図３は、図１に示す本発明の金属閉鎖形スイッチギアの一実施の形態を構成する第２の金属閉鎖形スイッチギアの側面図、図４は、図１に示す本発明の金属閉鎖形スイッチギアの一実施の形態をIV―IV矢視から見た断面図である。
【００１４】
まず、図１において、本発明の金属閉鎖形スイッチギア３００は、大略的に、盤面の上下方向に遮断器１１１が積載されている第１の金属閉鎖形スイッチギア１００と、盤面の下側にのみ遮断器２１１が積載され、共通放圧室２０５、２０６を備えている第２の金属閉鎖形スイッチギア２００とで構成されている。第２の金属閉鎖形スイッチギア２００の両側には、第１の金属閉鎖形スイッチギア１００が列盤構成されている。
【００１５】
つぎに、本発明の金属閉鎖形スイッチギアの一実施の形態を構成する第１の金属閉鎖形スイッチギア１００について図１及び図２を用いて説明する。  
第１の金属閉鎖形スイッチギア１００は、前面側に正面扉１４８、背面側に背面扉１４９を備え、筺体状の盤本体１０４の内部を、各仕切り板１４０a、１４０ｂ、１４１、１４２、１４３、１４４により分割区画されている。この分割区画により、盤正面側の上段と下段には、盤本体の仕切り板１４０a、１４０ｂ、１４１、１４４、天板１４５、底板１４６、側板１４７によって盤が形成されている。この盤には遮断器１１１がそれぞれ収納される遮断器室１０１が形成されている。また、遮断器室１０１の背部には、盤本体の仕切り板１４３、１４４、側板１４７によって盤が形成されている。この盤には、母線１３１が収納される母線室１０３が形成されている。  さらに、盤背面側の上段と下段には、盤本体の仕切り板１４２、１４３、１４４、天板１４５、底板１４６、側板１４７、背面扉１４９からなる盤が形成されている。この盤には、ケーブル１２１と変流器１２３とがそれぞれ収納されるケーブル・変流器室１０２が形成されている。また、遮断器室１０１の仕切り板１４１は、盤本体１０４の上下方向の中間部に設けられ、同様に、ケーブル・変流器室１０２の仕切り板１４２も盤本体１０４の上下方向の中間部に設けられている。
【００１６】
母線室１０３内には、碍子を介して、母線１３１が配設されている。また、ケーブル・変流器室１０２において、変流器１２３が遮断器室１０１の後方に取り付けられている。
【００１７】
さらに、盤本体１０４の天板１４５には、上段の遮断器室１０１、上段のケーブル・変流器室１０２に接続する盤内放出開口１１０が、それぞれ設けられている。各盤内放出開口１１０には、例えば、常時閉止しているが一定限度以上の圧力に応じて開く弁機構である放圧フラッパ１０９が、取り付けられている。一方、下段の遮断器室１０１、及び下段のケーブル・変流器室１０２の放圧手段として、盤である各室を構成する盤本体１０４の片側の側板１４７に放出開口１０８が設けられている。この放出開口１０８は、隣接する第２の金属閉鎖形スイッチギア２００の隣接面側の側板１４７であって、遮断器室１０１の仕切り板１４１の近傍の位置と、ケーブル・変流器室１０２の仕切り板１４２の近傍の位置の２か所に設けられている。図１において、正面視右側に配置された第１の金属閉鎖形スイッチギア１００にあっては、正面視左側の側板１４７、正面視左側に配置された第１の金属閉鎖形スイッチギア１００にあっては、正面視右側の側板１４７がそれぞれ該当する。この放出開口１０８から、後述する第２の金属閉鎖形スイッチギア２００の共通放圧室２０５、２０６を介して、盤外へ放出される。
【００１８】
つぎに、本発明の金属閉鎖形スイッチギアの一実施の形態を構成する第２の金属閉鎖形スイッチギア２００について図１乃至図４を用いて説明する。  
第２の金属閉鎖形スイッチギア２００は、前面側に正面扉２４８、背面側に背面扉２４９を備え、筺体状の盤本体２０４の内部を、各仕切り板２４０a、２４０ｂ、２４１、２４２、２４３、２４４、により分割区画されている。この分割区画により、盤正面側の下段には、盤本体の仕切り板２４０ｂ、２４１、２４４、底板２４６、側板２４７によって盤が形成されている。この盤には遮断器２１１が収納される遮断器室２０１が形成されている。また、遮断器室２０１の上段には、盤本体の仕切り板２４０a、２４１、２４４、天板２４５、側板２４７によって盤が形成されている。この盤には、内部に仕切り板２５１、２５２が設けられ、第１共通放圧室２０５が形成されている。また、遮断器室２０１と第１共通放圧室２０５の背部には、盤本体の仕切り板２４３、２４４、天板２４５、側板２４７によって盤が形成されている。この盤には、母線２３１が収納される母線室２０３が形成されている。さらに、盤背面側の下段には、盤本体の仕切り板２４２、２４３、２４４、底板２４６、側板２４７、背面扉２４９によって盤が形成されている。この盤には、ケーブル２２１と変流器２２３とがそれぞれ収納されるケーブル・変流器室２０２が形成されている。また、ケーブル・変流器室２０２の上段には、盤本体の仕切り板２４２、２４３、天板２４５、側板２４７、背面扉２４９によって盤が形成されている。この盤には、仕切り板２６１，２６２が設けられ、第２共通放圧室２０６が形成されている。
【００１９】
ここで、盤本体の２０４の仕切り板２４１は、隣接する第１の金属閉鎖形スイッチギア１００における仕切り板１４１より下方に設けられ、同様に、ケーブル・変流器室２０２の仕切り板２４２も隣接する第１の金属閉鎖形スイッチギア１００における仕切り板１４２より下方に設けられている。つまり、遮断器室２０１及びケーブル・変流器室２０２は、隣接する第１の金属閉鎖形スイッチギア１００における下段の遮断器室１０１及びケーブル・変流器室１０２より、いずれも低く形成されている。
【００２０】
遮断器室２０１上の第１共通放圧室２０５において、仕切り板２４０aは、盤本体２０４の前面と所定の間隔で並行対面するように配置されており、その下端を遮断器室２０１の仕切り板２４１の上部に、その上端を盤本体２０４の天板２４５に接合されている。第１共通放圧室２０５の内部は、図４に示すように仕切り板２５１、２５２が設けられて、３室に区画されている。具体的には、仕切り板２５１、２５２は、放圧室内方に向かって傾斜する傾斜部と、この傾斜部に繋がる垂直部とを有している。正面視左側の盤本体２０４の側板２４７であって遮断器室２０１の仕切り板２４１の上部近傍に、左側の仕切り板２５１における傾斜部の下端が接合される。また、仕切り板２５１における垂直部の上端が、天板２４５に接合されている。さらに、同様に右側の仕切り板２５２における傾斜部の下端は、正面視右側の盤本体２０４の側板２４７であって遮断器室２０１の仕切り板２４１の上部近傍に接合される。また、仕切り板２５２における垂直部の上端は、天板２４５に接合されている。
【００２１】
ケーブル・変流器室２０２上の第２放圧室２０６の内部にあっても、上述した第１放圧室２０５と同様に仕切り板２６１、２６２により、３室に区画されている。
【００２２】
また、母線室２０３において、仕切り板２４３の下端は、仕切り板２４４の遮断器室２０１の背面部に接合され、仕切り板２４３の上端は、盤本体２０４の天板２４５に接合されている。このため、形成される母線室２０３は、盤本体２０４の天板２４５を含む盤である点で、第１の金属閉鎖形スイッチギア１００の母線室１０３と異なる。  母線室２０３内には、碍子を介して、母線２３１が配設されている。また、ケーブル・変流器室２０２において、変流器２２３が遮断器室２０１の後方に取り付けられている。
【００２３】
ところで、盤本体２０４の天板２４５には、第１共通放圧室２０５、第２共通放圧室２０６、及び母線室２０３に接続する盤内放出開口２１０が、それぞれ設けられている。各盤内放出開口２１０には、例えば、常時閉止しているが一定限度以上の圧力に応じて開く弁機構である放圧フラッパ２０９が、取り付けられている。一方、遮断器室２０１、及びケーブル・変流器室２０２の放圧手段として、遮断器室２０１の仕切り板２４１、ケーブル・変流器室２０２の仕切り板２４２に放出開口２０８がそれぞれ設けられている。この放出開口２０８により、遮断器室２０１は第１共通放圧室２０５に接続し、ケーブル・変流器室２０２は第２共通放圧室２０６に接続する。
【００２４】
また、第１共通放圧室２０５を構成する盤本体２０４の側板２４７であって、隣接する第１の金属閉鎖形スイッチギア１００の隣接面に設けられた放出開口１０８と対向する位置に、放出開口２０８が設けられている。同様に、第２共通放圧室２０６を構成する盤本体２０４の側板２４７であって、隣接する第１の金属閉鎖形スイッチギア１００の隣接面に設けられた放出開口１０８と対向する位置に、放出開口２０８が設けられている。この放出開口２０８により、隣接する第１の金属閉鎖形スイッチギア１００の下段の遮断器室１０１は、第１共通放圧室２０５に接続し、同じく下段のケーブル・変流器室１０２は第２共通放圧室２０６に接続している。したがって、上述した仕切り板２５１、２５２、２６１、２６２によって区画された共通放圧室２０５、２０６の各室は、図４に示すように、対応する各放出開口２０８と共に独立した一つの放圧経路を構成している。
【００２５】
つぎに、上述した本発明の金属閉鎖形スイッチギアの一実施の形態の動作について図１乃至図４を用いて説明する。  
例えば、図１及び図４の正面視左側に配置された第１の金属閉鎖形スイッチギア１００の下段の遮断器室１０１で内部アーク事故が発生した場合は、急激な内部圧力の上昇により膨張した空気が、遮断器室１０１の右側板１４７に設けられた放出開口１０８と隣接する第２の金属閉鎖形スイッチギア２００の第１共通放圧室２０５の左側板２４７に設けられた放出開口２０８を通って、第１共通放圧室２０５に放出される。第１共通放圧室２０５は、仕切り板２５１、２５２により他の放出開口２０８と独立しているため、放出された膨張空気は、例えば他の遮断器室２０１に流入することはない。放出された膨張空気は、第１共通放圧室２０５の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の下段の遮断器室１０１での内部アーク事故、及び第２の金属閉鎖形スイッチギア２００の遮断器室２０１での内部アーク事故も同様に対応される。
【００２６】
また、正面視左側の第１の金属閉鎖形スイッチギア１００の下段のケーブル・変流器室１０２で内部アーク事故が発生した場合は、急激な内部圧力の上昇により膨張した空気が、ケーブル・変流器室１０２の右側板１４７に設けられた放出開口１０８と隣接する第２の金属閉鎖形スイッチギア２００の第２共通放圧室２０６の左側板２４７に設けられた放出開口２０８を通って、第２共通放圧室２０６に放出される。第２共通放圧室２０６は、仕切り板２６１、２６２により他の放出開口２０８と独立しているため、放出された膨張空気は、例えば他のケーブル・変流器室２０２に流入することはない。放出された膨張空気は、第２共通放圧室２０６の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の下段のケーブル・変流器室１０２での内部アーク事故、及び第２の金属閉鎖形スイッチギア２００のケーブル・変流器室２０２での内部アーク事故も同様に対応される。
【００２７】
さらに、正面視左側に配置された第１の金属閉鎖形スイッチギア１００の母線室１０３で内部アーク事故が発生した場合は、急激な内部圧力の上昇により膨張した空気が、接続している第２の金属閉鎖形スイッチギア２００の母線室２０３に放出される。放出された膨張空気は、母線室２０３の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の母線室１０３での内部アーク事故も同様に対応される。
【００２８】
つぎに、本発明の金属閉鎖形スイッチギアの他の実施の形態について図５及び図６を用いて説明する。図５は、本発明の金属閉鎖形スイッチギアの他の実施の形態を構成する第２の金属閉鎖形スイッチギアの側面図、図６は図５のＢ−Ｂ断面図である。これらの図において、図１乃至図４と同符号のものは同一部分である。本実施の形態における第２の金属閉鎖形スイッチギア２００は、上記一の実施の形態における第２の金属閉鎖形スイッチギア２００と以下の点でその形態が異なり、その他の点は、共通する。
【００２９】
第１及び第２共通放圧室２０５、２０６において、仕切り板２５１、２５２、２６１、２６２を設けていない。したがって、各共通放圧室内部は、一つの直方体形状であり、内部を３区画に区分けしている上述の実施の形態における各共通放圧室２０５、２０６と異なる。
【００３０】
また、例えば第１共通放圧室２０５において、遮断器室２０１と接続するために遮断器室２０１の仕切り板２４１に設けられた放出開口２０８と、隣接する第１の金属閉鎖形スイッチギア１００の下段の遮断器室１０１と接続するために両側板２４７に設けられた放出開口２０８に、常時閉止しているが一定限度以上の圧力に応じて開く弁機構である放圧フラッパ２０７が、取り付けられている。同様に、第２共通放圧室２０６において、ケーブル・変流器室２０２と接続するためにケーブル・変流器室２０２の仕切り板２４２に設けられた放出開口２０８と、隣接する第１の金属閉鎖形スイッチギア１００の下段のケーブル・変流器室１０２と接続するために両側板２４７に設けられた放出開口２０８に、常時閉止しているが一定限度以上の圧力に応じて開く弁機構である放圧フラッパ２０７が、取り付けられている。したがって、各共通放圧室内部に、３個の放圧フラッパを備える点で、放圧フラッパを備えていない上述の実施の形態における各共通放圧室２０５、２０６と異なる。
【００３１】
なお、上述の実施の形態において、仕切り板２５１、２５２、２６１、２６２における傾斜部を円弧状に形成することも可能である。
【００３２】
つぎに、上述した本発明の金属閉鎖形スイッチギアの他の実施の形態の動作について図１、図５及び図６を用いて説明する。  
例えば、図１及び図６の正面視左側に配置された第１の金属閉鎖形スイッチギア１００の下段の遮断器室１０１で内部アーク事故が発生した場合は、急激な内部圧力の上昇により膨張した空気が、遮断器室１０１の右側板１４７に設けられた放出開口１０８と隣接する第２の金属閉鎖形スイッチギア２００の第１共通放圧室２０５の左側板２４７に設けられた放出開口２０８から放圧フラッパ２０７を作動させて、第１共通放圧室２０５に放出される。第１共通放圧室２０５の内部は、放出開口２０８毎に放圧フラッパ２０７が設けられているため、他の放出開口２０８の放圧フラッパ２０７が閉止され、放出された膨張空気は、例えば他の遮断器室２０１に流入することはない。放出された膨張空気は、第１共通放圧室２０５の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の下段の遮断器室１０１での内部アーク事故、及び第２の金属閉鎖形スイッチギア２００の遮断器室２０１での内部アーク事故も同様に対応される。
【００３３】
また、正面視左側の第１の金属閉鎖形スイッチギア１００の下段のケーブル・変流器室１０２で内部アーク事故が発生した場合は、急激な内部圧力の上昇により膨張した空気が、ケーブル・変流器室１０２の右側板１４７に設けられた放出開口１０８と隣接する第２の金属閉鎖形スイッチギア２００の第２共通放圧室２０６の左側板２４７に設けられた放出開口２０８から放圧フラッパ２０７を作動させて、第２共通放圧室２０６に放出される。第２共通放圧室２０６の内部は、放出開口２０８毎に放圧フラッパ２０７が設けられているため、他の放出開口２０８の放圧フラッパ２０７が閉止され、放出された膨張空気は、例えば他のケーブル・変流器室２０２に流入することはない。放出された膨張空気は、第２共通放圧室２０６の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の下段のケーブル・変流器室１０２での内部アーク事故、及び第２の金属閉鎖形スイッチギア２００のケーブル・変流器室２０２での内部アーク事故も同様に対応される。
【００３４】
さらに、正面視左側に配置された第１の金属閉鎖形スイッチギア１００の母線室１０３で内部アーク事故が発生した場合は、急激な内部圧力の上昇により膨張した空気が、接続している第２の金属閉鎖形スイッチギア２００の母線室２０３に放出される。放出された膨張空気は、母線室２０３の上部の盤本体２０４の天板２４５に設けられた盤内放出開口２１０を通り、盤内放出開口２１０に取り付けられた放圧フラッパ２０９を作動させて、盤外に放出される。正面視右側に配置された第１の金属閉鎖形スイッチギア１００の母線室１０３での内部アーク事故も同様に対応される。
【００３５】
したがって、このように構成された金属閉鎖形スイッチギア３００においては、いかなる区画で内部アーク事故が発生しても、事故で発生した膨張空気を外部に放出することができる。
【００３６】
上述した本発明の金属閉鎖形スイッチギアによれば、金属閉鎖形スイッチギア内のいずれの室で内部アーク事故が発生しても、事故で発生した膨張空気を外部に放出することができる。また、共通放圧室は金属閉鎖形スイッチギアの内部に区画して設けられている。このため、共通放圧室は、他の各室と同様の強度等を有し、十分な安全性と信頼性が確保される。さらに、この金属閉鎖形スイッチギアの外形寸法は従来の金属閉鎖形スイッチギアの外形寸法と同一である。したがって、多数のフィーダを必要とする場合であっても、従来例と略同じ設置面積で、遮断器等を多段積載した金属閉鎖形スイッチギアを設置することができる。さらに、共通放圧室を備える形式であっても、系統の増設が可能であり、しかも簡便であることから、汎用性に優れている。また、第２の金属閉鎖形スイッチギア２００の上方に放圧室を一体的に形成してユニット化することも可能である。
【００３７】
なお、上述した本発明の金属閉鎖形スイッチギアの実施の形態では、第１の金属閉鎖形スイッチギア１００を２面と第２の金属閉鎖形スイッチギア２００の１面で金属閉鎖形スイッチギアを構成しているが、第１の金属閉鎖形スイッチギア１００と第２の金属閉鎖形スイッチギア２００を列盤とすれば、１面ずつの構成であっても構わない。
【図面の簡単な説明】
【００３８】
【図１】本発明の金属閉鎖形スイッチギアの一実施の形態の構成を示す斜視図である。
【図２】本発明の金属閉鎖形スイッチギアの一実施の形態を構成する第１の金属閉鎖形スイッチギアの側面図である。
【図３】本発明の金属閉鎖形スイッチギアの一実施の形態を構成する第２の金属閉鎖形スイッチギアの側面図である。
【図４】図１に示す本発明の金属閉鎖形スイッチギアをIV―IV矢視から見た断面図である。
【図５】本発明の金属閉鎖形スイッチギアの他の実施の形態を構成する第２の金属閉鎖形スイッチギアの側面図である。
【図６】図５に示す本発明の金属閉鎖形スイッチギアをVI―VI矢視から見た断面図である。
【符号の説明】
【００３９】
１００        第１の金属閉鎖形スイッチギア
１０１        遮断器室
１０２        ケーブル・変流器室
１０３        母線室
１０４        盤本体
１０８        放出開口
１０９        放圧フラッパ
１１０        盤内放出開口
１４１        仕切り板
２００        第２の金属閉鎖形スイッチギア
２０１        遮断器室
２０２        ケーブル・変流器室
２０３        母線室
２０４        盤本体
２０５        第１共通放圧室
２０６        第２共通放圧室
２０７        放圧フラッパ
２０８        放出開口
２０９        放圧フラッパ
２１０        盤内放出開口
２４１        仕切り板
３００        金属閉鎖形スイッチギア
【図１】
0004906755.tif 000002
【図２】
0004906755.tif 000003
【図３】
0004906755.tif 000004
【図４】
0004906755.tif 000005
【図５】
0004906755.tif 000006
【図６】
0004906755.tif 000007